(57)【要約】  【課題】  吸い込み空気の流れを改善して熱交換率の向上を図るとともに、電装品箱の着脱および内部点検が容易に行える空気調和機の室外機を提供することを目的とする。  【解決手段】  前面上部の吸込口に格子状のフロントガード２を設け、上面にファンガード６を備えた天板７を被せ、側面に着脱可能な側板４を有する筐体１内に、下部を後方に位置させ上部を前方に傾斜させた熱交換器９を備え、同熱交換器９の前方に筐体１内部を上下に仕切る仕切板１１を設けてなるものにおいて、筐体１内部の一側に側方外部から内部点検が行える電装品箱１６を設けるとともに、同電装品箱１６の着脱が筐体１の前方から行えるようにし、取り出された電装品箱１６が仕切板１１上に横たえできる構成とする。【選択図】図１
2006138573.tif 000002
【特許請求の範囲】
【請求項１】
筐体内部に、同筐体内部を上下に仕切る仕切板を設けてその上部に熱交換器を備えた熱交換室を形成し、下部に圧縮機等を備えた機械室を形成してなるものにおいて、前記筐体内部の一側に電装品箱を配設するとともに、同電装品箱の着脱が前記筐体の前方から行えることを特徴とする空気調和機の室外機。
【請求項２】
取り外された前記電装品箱を前記仕切板上に横たえ可能にしてなる請求項１記載の空気調和機の室外機。
【請求項３】
前記電装品箱を前記熱交換器と前記仕切板とにより支持してなる請求項１または２記載の空気調和機の室外機。
【発明の詳細な説明】
【技術分野】
【０００１】
本発明は空気調和機の室外機に係わり、詳しくは、吸い込み空気の流れを改善して熱交換率の向上を図るとともに、電装品箱の着脱および内部点検が容易に行える室外機の構造に関する。
【背景技術】
【０００２】
空気調和機の室外機としては、例えば、図４に示すようなものがある。
図４は室外機の内部構成を側面から示したもので、筐体５の内部は仕切板６によって上部空間（熱交換室）７と下部空間（機械室）８とに仕切られ、機械室８には台枠１に取付けられた圧縮機２があり、前面にはフロントパネル１６が設けられている。熱交換室７にはその上部に送風機１０を設け、中間部に、下部を後方に位置させ上部を前方に傾斜させた熱交換器９を設け、その前方に制御箱（電装品箱）１３を配設し、前面に格子状のフロントガード１４を設け、このフロントガード１４を取り外せばインバータケース１３の内部点検が行える（例えば、特許文献１参照）ようになっている。
【０００３】
しかしながら、上記構成のものにおいては、前面から熱交換器９に向かう空気流がインバータケース１３によって邪魔され、熱交換に悪影響を及ぼす恐れがあった。そこで、このような不具合を解消できるものとして開発されたのが図５に示すような室外機である。この室外機においては、ヒートシンク１３ａを備えた電装品箱１３を筐体５の内部一側に設けることにより、前面から熱交換器９に向かう空気流を改善し、電装品箱１３の内部点検は側板４ａを取り外して行うようになっている。
【０００４】
ところで、図５に示すような複数の圧縮機（回転速度が一定のものと回転速度を制御できるインバータタイプのもの）２を備えた室外機は１台でも複数の室内機に対応できるようになっているが、場合によっては複数の室外機が図５に示すように近接した状態で設置されたり、また、室外機が１台の場合でもその側方に壁があったりすると側板４ａの着脱が出来ず、電装品箱１３の内部点検が出来なくなるという問題点があった。
【０００５】
【特許文献１】実開平５ー６９５３９号公報（第２頁、図２）
【発明の開示】
【発明が解決しようとする課題】
【０００６】
上述のとおり、従来の室外機では、電装品箱の取付位置によって筐体内部の空気流が悪くなったり、電装品箱の内部点検が困難になるという課題があった。
したがって、本発明においては上記の課題を解消可能にした空気調和機の室外機を提供することを目的としている。
【課題を解決するための手段】
【０００７】
本発明は上記の課題を解決するためになされたものであり、筐体内部に、同筐体内部を上下に仕切る仕切板を設けてその上部に熱交換器を備えた熱交換室を形成し、下部に圧縮機等を備えた機械室を形成してなるものにおいて、前記筐体内部の一側に電装品箱を配設するとともに、同電装品箱の着脱が前記筐体の前方から行える構成とする。
【０００８】
また、取り外された前記電装品箱を前記仕切板上に横たえ可能にした構成とする。
【０００９】
また、前記電装品箱を前記熱交換器と前記仕切板とにより支持してなる構成とする。
【発明の効果】
【００１０】
本発明の構成からなる空気調和機の室外機であれば、その電装品箱が筐体内部の一側に位置するので前面上部の吸込口から熱交換器に向かう空気の流れが良くなり、熱交換率が向上する一方、電装品箱の内部点検を行う場合、側方に邪魔になる壁等がなければ筐体の側板を外し、電装品箱の蓋体を開けることにより側方外部からの点検が行え、また、側方外部からの点検が不可能な場合には、筐体の前面上部に設けられている通気パネル（またはフロントガード）を外せばインバータケースの取り外しが簡単に行えるとともに、取り外されたインバータケースは筐体内部に設けられた仕切板上に横たえることができるので内部点検が容易に行えることになり、室外機の設置場所に関する制限が解消されることにもなる。
【発明を実施するための最良の形態】
【００１１】
以下、本発明の実施の形態を、添付図面に基づいて説明する。
【実施例１】
【００１２】
図１は空気調和機の室外機の概略構成を示したもので、図において、１は筐体である。この筐体１は格子状に形成されたフロントガード２と、左右一対のフロントパネル３と、側板４と、底板５と、上部にファンガード６を備えた左右一対の天板７と、これらの取付を可能にした枠体８等で構成され、筐体１内には、上部に図示されてない二つの送風機があり、その下部空間には、下部を後方に位置させ上部を前方に傾斜させた熱交換器９があり、また、その後方には第２の熱交換器１０が立設されている。
【００１３】
熱交換器９の前方には筐体１の内部を上下に仕切る仕切板１１が設けられ、その上部に熱交換室１２、下部に機械室１３が形成され、機械室１３には複数の圧縮機（回転数が一定の圧縮機１４と、回転数の制御が可能な圧縮機１５）と、その他図示されてない機器が配設されている。筐体１の内部一側には電装品を収めた電装品箱１６が設けられている。この電装品箱１６の開口面には蓋体１６ａが被せられ、開閉可能に複数のネジ１７で止められている。また、電装品箱１６そのものは筐体１の前面からの着脱ができるように別途用意された複数のネジ１８で固定されている。１９は電装品箱１６の低部より突出しているヒートシンクである。
【００１４】
図２は電装品箱１６の取付状態を拡大図示したもので、前方２か所が枠体８の内面に、また、後方の取付片１６ｂが熱交換器９の一側前方に位置する取付板２０に、それぞれネジ１８で固定され、また、ネジ１８と固定具２１を用いてヒートシンク１９の端面を押さえ、横方向の動きを制するようになっている。なお、仕切板１１の一側は電装品箱１６の着脱等に要する部分がカットされた状態になっており、電装品箱１６の内部点検等を行う場合には先に説明した４本のネジ１８を取り外し、電装品箱１６を矢印の如く水平方向（左方向）にずらし、続けて上部へ引き上げれば取り出すことができる。
【００１５】
図３は図２同様、本発明に係わる部位を拡大図示したもので、所定位置より取り出された電装品箱１６は、図３に示すように、ヒートシンク１９を下にして仕切板１１上に載置することができ、ネジ１７の全てを取り外せば蓋体１６ａが外れ、内部点検が行える。
【図面の簡単な説明】
【００１６】
【図１】本発明の実施の形態を示す空気調和機の室外機の斜視図である。
【図２】本発明による電装品箱の取付形態を示す要部拡大斜視図である。
【図３】本発明による電装品箱の取り出し形態を示す要部拡大斜視図である。
【図４】従来例を示す空気調和機の室外機の側断面図である。
【図５】従来例を示す複数台の室外機の設置形態および内部構成を示す斜視図である。
【符号の説明】
【００１７】
１  筐体
２  フロントガード
３  フロントパネル
４  側板
６  ファンガード
７  天板
８  枠体
９  熱交換器
１０  第２の熱交換器
１１  仕切板
１２  熱交換室
１３  機械室
１６  電装品箱
１６ａ  蓋体
１６ｂ  取付片
１７、１８  ネジ
１９  ヒートシンク
２０  取付板
２１  固定具
【図１】
2006138573.tif 000003
【図２】
2006138573.tif 000004
【図３】
2006138573.tif 000005
【図４】
2006138573.tif 000006
【図５】
2006138573.tif 000007